(57)【要約】【課題】一方の面に対して画像が既に形成された転写紙の他方の面に対して画像を形成する指示に際して、定着ローラの汚損や転写紙の汚れの発生を防止することが可能な画像形成技術を提供する。【解決手段】複合装置１は、両面に画像が形成されていない転写紙の一方の面に対して画像を形成する指示があった場合、当該画像と、裏紙再利用情報を表す画像とを当該転写紙に形成する。また、複合装置１は、一方の面に対して画像が既に形成された転写紙の他方の面に対して画像を形成する指示があった場合、当該転写紙が給紙される際に、当該転写紙の他方の面を撮像し、撮像した画像に基づいて、裏紙再利用情報を抽出し、当該裏紙再利用情報を用いて、当該転写紙の一方の面に対する画像の形成を許可するか否かを判断し、当該判断結果が否定的である場合、一方の面に対して画像を形成することなく当該転写紙を排出する。【選択図】図１
2012053457.tif 000002
【特許請求の範囲】
【請求項１】
トナー像を転写紙に転写して加熱定着することにより画像を形成する画像形成装置であって、
両面に画像が形成されていない第１転写紙の一方の面に対して第１画像を形成する指示があった場合、前記第１画像と、前記第１転写紙の他方の面に対する画像の形成の諾否を判断するための裏紙再利用情報を表す第２画像とを前記第１転写紙の一方の面に対して形成する画像形成手段と、
第２転写紙の一方の面に対して第３画像を形成する指示があった場合、前記第２転写紙が給紙される際に、前記第２転写紙の他方の面を撮像する撮像手段と、
前記撮像手段が撮像した画像である第４画像に基づいて、前記裏紙再利用情報を抽出する抽出手段と、
前記抽出手段が抽出した前記裏紙再利用情報を用いて、前記第２転写紙の前記一方の面に対する前記第３画像の形成を許可するか否かを判断する裏紙利用判断手段と、
前記裏紙利用判断手段の判断結果が否定的である場合、前記一方の面に対して前記第３画像を形成させることなく前記第２転写紙を排出する排出手段とを備える
ことを特徴とする画像形成装置。
【請求項２】
前記抽出手段は、
前記撮像手段が撮像した前記第４画像を用いて、前記第２転写紙が、前記他方の面に対してトナー像の転写による画像が既に形成された裏紙であるか否かを判断する裏紙判断手段と、
前記裏紙判断手段の判断結果が肯定的である場合、前記第３画像を用いて、前記裏紙再利用情報を抽出する情報抽出手段とを有する
ことを特徴とする請求項１に記載の画像形成装置。
【請求項３】
前記裏紙利用判断手段は、前記情報抽出手段が前記裏紙再利用情報を抽出できなかった場合、前記第２転写紙の前記一方の面に対する前記第３画像の形成を許可しないと判断する
ことを特徴とする請求項２に記載の画像形成装置。
【請求項４】
前記画像形成手段は、前記第１画像及び前記裏紙再利用情報を地紋透かしに変換した前記第２画像を前記第１転写紙に形成する
ことを特徴とする請求項１乃至３のいずれか一項に記載の画像形成装置。
【請求項５】
前記画像形成手段は、前記第１画像及び前記裏紙再利用情報をバーコードに変換した前記第２画像を前記第１転写紙に形成する
ことを特徴とする請求項１乃至３のいずれか一項に記載の画像形成装置。
【請求項６】
前記抽出手段は、前記第４画像に基づいて、前記画像形成装置固有の識別子である前記裏紙再利用情報を抽出する
ことを特徴とする請求項１乃至５のいずれか一項に記載の画像形成装置。
【請求項７】
前記裏紙利用判断手段は、前記抽出手段が抽出した前記画像形成装置の固有の識別子が、前記画像形成装置において許可されているものか否かを判断することにより、前記第２転写紙の前記一方の面に対する前記第３画像の形成を許可するか否かを判断する
ことを特徴とする請求項６に記載の画像形成装置。
【請求項８】
前記抽出手段は、前記第４画像に基づいて、前記画像形成装置で用いられるトナー固有の識別子である前記裏紙再利用情報を抽出する
ことを特徴とする請求項１乃至５のいずれか一項に記載の画像形成装置。
【請求項９】
前記裏紙利用判断手段は、前記抽出手段が抽出した前記トナー固有の識別子が、前記画像形成装置において許可されているものか否かを判断することにより、前記第２転写紙の前記一方の面に対する前記第３画像の形成を許可するか否かを判断する
ことを特徴とする請求項８に記載の画像形成装置。
【請求項１０】
前記画像形成手段は、前記裏紙利用判断手段の判断結果が肯定的である場合、前記第２転写紙の一方の面に対して前記第３画像を形成する
ことを特徴とする請求項１乃至９のいずれか一項に記載の画像形成装置。
【請求項１１】
トナー像を転写紙に転写して加熱定着することにより画像を形成する画像形成装置で実行される画像形成方法であって、
前記画像形成装置は、画像形成手段と、撮像手段と、抽出手段と、裏紙利用判断手段と、排出手段とを備え、
前記画像形成手段が、両面に画像が形成されていない第１転写紙の一方の面に対して第１画像を形成する指示があった場合、前記第１画像と、前記第１転写紙の他方の面に対する画像の形成の諾否を判断するための裏紙再利用情報を表す第２画像とを前記第１転写紙の一方の面に対して形成する画像形成ステップと、
前記撮像手段が、第２転写紙の一方の面に対して第３画像を形成する指示があった場合、前記第２転写紙が給紙される際に、前記第２転写紙の他方の面を撮像する撮像ステップと、
前記抽出手段が、前記撮像手段が撮像した画像である第４画像に基づいて、前記裏紙再利用情報を抽出する抽出ステップと、
前記裏紙利用判断手段が、前記抽出手段が抽出した前記裏紙再利用情報を用いて、前記第２転写紙の前記一方の面に対する前記第３画像の形成を許可するか否かを判断する裏紙利用判断ステップと、
前記排出手段が、前記裏紙利用判断手段の判断結果が否定的である場合、前記一方の面に対して前記第３画像を形成させることなく前記第２転写紙を排出させる排出ステップとを含む
ことを特徴とする画像形成方法。
【請求項１２】
請求項１１に記載の方法をコンピュータに実行させるためのプログラム。
【発明の詳細な説明】
【技術分野】
【０００１】
本発明は、画像形成装置、画像形成方法及びプログラムに関する。
【背景技術】
【０００２】
従来より、例えば、画像形成の対象となる面（対象面）の裏面に画像が既に形成された部分の面積や当該画像がカラーか否かを検知して、検知結果に基づいて、対象面への画像形成を制御する画像形成装置がある（例えば特許文献１参照）。このような画像形成装置によれば、裏面に画像が既に形成された裏紙へ画像形成を行うという所謂裏面印刷に際し、ユーザにとって見やすい画像を形成することが可能になる。このため、紙資源を節約しつつ、ユーザの利便性を向上させることができる。
【発明の概要】
【発明が解決しようとする課題】
【０００３】
しかしながら、これらの検知結果に基づいて対象面への画像形成を行う際、裏面への画像形成時に用いられたトナーと特性の異なるトナーを用いる場合、その特性の差異、例えば融点の違いによって、定着時にトナーが再融解して、定着ローラが汚損し、次に定着ローラによって画像が定着される転写紙に対してその汚れが付着する恐れがあった。
【０００４】
本発明は、上記に鑑みてなされたものであって、一方の面に対して画像が既に形成された転写紙の他方の面に対して画像を形成する指示に際して、定着ローラの汚損や転写紙の汚れの発生を防止することが可能な画像形成装置、画像形成方法及びプログラムを提供することを目的とする。
【課題を解決するための手段】
【０００５】
上述した課題を解決し、目的を達成するために、本発明は、トナー像を転写紙に転写して加熱定着することにより画像を形成する画像形成装置であって、両面に画像が形成されていない第１転写紙の一方の面に対して第１画像を形成する指示があった場合、前記第１画像と、前記第１転写紙の他方の面に対する画像の形成の諾否を判断するための裏紙再利用情報を表す第２画像とを前記第１転写紙の一方の面に対して形成する画像形成手段と、第２転写紙の一方の面に対して第３画像を形成する指示があった場合、前記第２転写紙が給紙される際に、前記第２転写紙の他方の面を撮像する撮像手段と、前記撮像手段が撮像した画像である第４画像に基づいて、前記裏紙再利用情報を抽出する抽出手段と、前記抽出手段が抽出した前記裏紙再利用情報を用いて、前記第２転写紙の前記一方の面に対する前記第３画像の形成を許可するか否かを判断する裏紙利用判断手段と、前記裏紙利用判断手段の判断結果が否定的である場合、前記一方の面に対して前記第３画像を形成させることなく前記第２転写紙を排出する排出手段とを備えることを特徴とする。
【０００６】
また、本発明は、トナー像を転写紙に転写して加熱定着することにより画像を形成する画像形成装置で実行される画像形成方法であって、前記画像形成装置は、画像形成手段と、撮像手段と、抽出手段と、裏紙利用判断手段と、排出手段とを備え、前記画像形成手段が、両面に画像が形成されていない第１転写紙の一方の面に対して第１画像を形成する指示があった場合、前記第１画像と、前記第１転写紙の他方の面に対する画像の形成の諾否を判断するための裏紙再利用情報を表す第２画像とを前記第１転写紙の一方の面に対して形成する画像形成ステップと、前記撮像手段が、第２転写紙の一方の面に対して第３画像を形成する指示があった場合、前記第２転写紙が給紙される際に、前記第２転写紙の他方の面を撮像する撮像ステップと、前記抽出手段が、前記撮像手段が撮像した画像である第４画像に基づいて、前記裏紙再利用情報を抽出する抽出ステップと、前記裏紙利用判断手段が、前記抽出手段が抽出した前記裏紙再利用情報を用いて、前記第２転写紙の前記一方の面に対する前記第３画像の形成を許可するか否かを判断する裏紙利用判断ステップと、前記排出手段が、前記裏紙利用判断手段の判断結果が否定的である場合、前記一方の面に対して前記第３画像を形成させることなく前記第２転写紙を排出させる排出ステップとを含むことを特徴とする。
【０００７】
また、本発明は、上記の方法をコンピュータに実行させるためのプログラムである。
【発明の効果】
【０００８】
本発明によれば、一方の面に対して画像が既に形成された転写紙の他方の面に対して画像を形成する指示に際して、定着ローラの汚損や転写紙の汚れの発生を防止することが可能になる。
【図面の簡単な説明】
【０００９】
【図１】図１は、第１の実施の形態にかかる複合装置の構成の概略を例示する図である。
【図２】図２は、複合装置の要部の構成をブロック化して示す図である。
【図３】図３は、複合装置の裏紙の搬送経路を変更しない場合の搬送経路の構成の概略を例示する図である。
【図４】図４は、複合装置の裏紙の搬送経路を変更する場合の搬送経路の構成の概略を例示する図である。
【図５】図５は、同実施の形態特有の構成をブロック化して示す図である。
【図６】図６は、複合装置が行う処理の手順を示すフローチャートである。
【図７】図７は、図６のステップＳ１の処理の詳細な手順を示すフローチャートである。
【図８】図８は、図６のステップＳ３の処理の詳細な手順を示すフローチャートである。
【図９】図９は、識別子の種類及び識別子の印刷方法の組み合わせを例示する図である。
【図１０】図１０は、機種識別子が文字として画像が形成された画像を例示する図である。
【図１１】図１１は、トナー識別子がバーコードとして画像が形成された画像を例示する図である。
【図１２】図１２は、機種識別子が地紋透かしとして画像が形成された画像を例示する図である。
【図１３】図１３は、自動原稿搬送装置の構成例を示す図である。
【図１４】図１４は、用紙情報による仕分け処理を実行する機能構成例を示すブロック図である。
【図１５】図１５は、第２の実施の形態にかかる複合装置における用紙仕分け処理のフローチャートである。
【図１６】図１６は、第２の実施の形態にかかる複合装置における用紙仕分け処理のフローチャートである。
【図１７】図１７は、第２の実施の形態にかかる複合装置における用紙仕分け処理のフローチャートである。
【図１８】図１８は、第２の実施の形態にかかる用紙情報設定画面の一例を示す図である。
【図１９】図１９は、第２の実施の形態にかかる用紙種類設定画面の一例を示す図である。
【図２０】図２０は、第２の実施の形態にかかる用紙厚さ設定画面の一例を示す図である。
【図２１】図２１は、定着情報による仕分け処理を実行する機能構成例を示すブロック図である。
【図２２】図２２は、第３の実施の形態にかかる複合装置における用紙仕分け処理のフローチャートである。
【図２３】図２３は、第３の実施の形態にかかる複合装置における用紙仕分け処理のフローチャートである。
【図２４】図２４は、第３の実施の形態にかかる記録紙仕分け結果画面の一例を示す図である。
【図２５】図２５は、第３の実施の形態にかかる記録紙仕分け設定画面の一例を示す図である。
【図２６】図２６は、第３の実施の形態にかかる記録紙仕分け設定画面の他の例を示す図である。
【発明を実施するための形態】
【００１０】
以下に添付図面を参照して、この発明にかかる画像形成装置、画像形成方法及びプログラムの一実施の形態を詳細に説明する。
【００１１】
（第１の実施の形態）
図１は、画像形成装置の第１の実施の形態を適用した複合装置１の構成の概略を例示する図である。複合装置１は、電子写真プロセスを用いたコピー機能、スキャナ機能及びファクシミリ機能等の各種機能を有し、カラーの画像を形成可能な複合装置であり、画像読取ユニット２、画像書込ユニット３、画像形成ユニット４、給紙ユニット５及び手差しユニット６を備えている。画像読取ユニット２は、コンタクトガラス１１上にセットされた原稿を圧板１２で押さえつけ、コンタクトガラス１１の下部に配設されている第１走行体１３上の光源から原稿に光を照射して、当該原稿で反射された反射光を第１走行体１３上のミラーで第２走行体１４上のミラーに反射する。画像読取ユニット２は、第２走行体１４上のミラーに第１走行体１３上のミラーから入射される反射光を第２走行体１４でレンズ１５方向に反射して、レンズ１５を通して３ラインＣＣＤ（Charge  Coupled  Device  ）センサ１６に入射し、３ラインＣＣＤセンサ１６で光電変換して、原稿の画像を読み取る。画像読取ユニット２は、３ラインＣＣＤセンサ１６で光電変換した画像を表す画像データを後述の画像処理ユニットを介して画像書込ユニット３に送る。そして、画像読取ユニット２は、第１走行体１３と第２走行体１４が、上述のようにして原稿を主走査しつつ副走査方向に移動して、原稿を主走査及び副走査して、原稿の画像を読み取る。
【００１２】
画像形成ユニット（画像形成部）４は、画像読取ユニット２から画像書込ユニット３に送られた画像データに基づいて、トナー像を形成し、そのトナー像を転写紙に転写して加熱定着させることにより画像を形成する部分であり、画像書込ユニット３により静電潜像の書き込まれる感光体２１の周囲に各プロセス部を備えている。すなわち、感光体２１の周囲には、帯電器２２、ブラック（Ｂｋ）、シアン（Ｃ）、マゼンタ（Ｍ）、イエロー（Ｙ）の各色のトナーを感光体２１に供給して現像する現像部２３、中間転写部２４、感光体２１上に残留するトナーをクリーニングするクリーニング部２５、除電部２６が順番に配置されており、さらに、転写部２７及び定着部２８等を備えている。感光体２１は、図１に矢印で示す反時計方向に回転駆動され、帯電器２２で一様に帯電されて、画像書込ユニット３から画像データで変調されたレーザ光が照射されることで、静電潜像が形成される。現像部２３は、静電潜像の形成された感光体２１に、トナーを供給して、現像することにより、トナー像を形成し、中間転写部２４は、中間転写ベルト２９を備えていて、感光体２１上にトナー像を転写させる。転写部２７は、感光体２１上から中間転写部２４の中間転写ベルト２９に転写されたトナー像を給紙ユニット５から搬送されてきた転写紙に転写する。
【００１３】
画像形成ユニット４は、フルカラーで画像を形成する場合には、画像書込ユニット３により、ブラック（Ｂｋ）、シアン（Ｃ）、マゼンタ（Ｍ）、イエロー（Ｙ）の各色の静電潜像が感光体２１に書き込まれ、現像部２３は、当該各色の静電潜像を当該色のトナーで現像して、各色のトナー像を順次中間転写部２４の中間転写ベルト２９上に重ね合わせて転写する。中間転写部２４は、各色のトナー像が重ね合わされて転写されたフルカラーのトナー像を給紙ユニット５から搬送されてくる転写紙に転写する。
【００１４】
クリーニング部２５は、転写の完了した感光体２１上に残留するトナーを除去し、除電部２６は、クリーニング部２５で残留トナーの除去された感光体２１を除電する。定着部２８は、トナー像の転写された転写紙を、加熱される定着ローラと当該定着ローラに加圧されて回転する加圧ローラとにより、搬送しつつ加熱及び加圧して、トナー像を転写紙に定着させ、定着の完了した転写紙を複合装置１の側面に取り付けられている排紙トレイ（図示略）上に排出する。
【００１５】
給紙ユニット（給紙部）５は、それぞれ複数枚の転写紙の載置される３つの給紙トレイ３１〜３３及び搬送機構部３４等を備え、搬送機後部３４が、各給紙トレイ３１〜３３のうち、適宜選択された給紙トレイ３１〜３３から転写紙を１枚ずつ画像形成ユニット４の転写部２７と中間転写ベルト２９との間にタイミング調整を行って搬送する。手差しユニット６は、複数枚の転写紙が手操作で載置され、載置された転写紙を１枚ずつ画像形成ユニット４の転写部２７と中間転写ベルト２９との間にタイミング調整を行って搬送する。
【００１６】
図２は、複合装置１の要部の構成をブロック化して示す図である。複合装置１は、システム制御ユニット（制御手段）４１、操作部ユニット４２、画像表示ユニット４３、複写機機構部４４、画像処理ユニット４５、上述の画像読取ユニット２及び画像書込ユニット３等を備えている。
【００１７】
画像読取ユニット２は、原稿から読み取った画像を表す画像データを画像処理ユニット４５に送る。画像処理ユニット４５は、画像読取ユニット２から送られた画像データに対して、スキャナγ補正、色変換、主走査変倍、画像分離、加工、エリア処理、階調補正処理等の画像処理を行い、画像処理後の画像データを画像書込ユニット３に出力する。
【００１８】
画像書込ユニット３は、画像処理ユニット４５から出力された画像処理後の画像データに応じてＬＤ（レーザーダイオード）の駆動を変調して、変調したレーザ光を感光体２１に照射する。
【００１９】
操作部ユニット４２は、ＬＣＤタッチパネルと、テンキー、スタートキー、クリア／ストップキー、リセットキー、割り込みキー、省エネキー、画質調整キー、コピーモード選択キー、ＦＡＸ選択キー、スキャナ選択キー及び画像コントラスト調整つまみ等を備えている。更に、操作部ユニット４２は、トナー識別子印刷ボタン、機種識別子印刷ボタン、識別子地紋印刷ボタン、識別子バーコード印刷ボタンを備える。これらの各キー、各ボタン及び画像コントラスト調整つまみは、ユーザからの操作が入力されるものであり、ユーザが複合装置１を利用してコピー（複写機能）、スキャナ、ＦＡＸ等の各種モードの設定と各種モードでの動作を指示するのに使用される。ＬＣＤタッチパネルは、操作部ユニット４２で行われた各種操作や複合装置１からユーザに通知する各種情報、例えば、紙サイズ、給紙段、倍率等を表示するとともに、複合装置１の備えているコピーモード、スキャナモード、ＦＡＸモード等の各種モードに対応した操作ボタンを表示し、操作ボタンへのタッチ操作により、複合装置１に対する各種操作を可能とする。この操作部ユニット４２は、システム制御ユニット４１に接続されており、操作部ユニット４２に入力された操作（操作入力）の内容をシステム制御ユニット４１に通知すると共に、システム制御ユニット４１の制御下で、ＬＣＤタッチパネルへの情報の表示を行い、また、ＬＣＤタッチパネルの操作ボタンの操作結果のシステム制御ユニット４１への通知を行う。
【００２０】
画像表示ユニット４３は、システム制御ユニット４１の制御下で動作して、画像読取ユニット２の読み取った原稿の画像を図示しない表示画面または操作部ユニット４２のＬＣＤタッチパネルに表示する。
【００２１】
複写機機構部４４は、システム制御ユニット４１の制御下で動作して、原稿の搬送、転写紙の搬送等の各種機構部の駆動を行う。
【００２２】
システム制御ユニット４１は、ＣＰＵ（Central  Processing  Unit  ）４１ａと、各種データや各種プログラムを記憶するＲＯＭ（Read  Only  Memory）やＲＡＭ（Random  Access  Memory）（不図示）等の主記憶部と、各種データや各種プログラムを記憶するＨＤＤ（Hard  Disk  Drive）やＣＤ（Compact  Disk）ドライブ装置等の補助記憶部とを備える。ＣＰＵ４１ａは、主記憶部や補助記憶部に記憶された各種プログラムを実行することにより、操作部ユニット４２、画像表示ユニット４３及び複写機機構部４４を制御して、各種機能を実現させる。また、システム制御ユニット４１は、回線を介して接続されている相手ファクシミリ装置等の相手端末とファクシミリ制御手順を実行し、当該相手端末から送信されてくる画像データを受信したり、画像読取ユニット２の読み取った原稿の画像を表す画像データを相手端末に送信したりする。
【００２３】
以上が複合装置１の基本的な構成である。次に、本実施の形態にかかる特有の構成について図３〜５を用いて説明する。図３〜図４に示されるように、裏紙再利用情報検知センサ５１が、給紙ユニット５から画像形成ユニット４に搬送される搬送路（搬送経路）５０の近くに配設されている。裏紙再利用情報検知センサ５１は、給紙ユニット５から転写紙が送り出されると、搬送経路５０を通る転写紙の裏面（画像形成の対象となる面とは反対側の面）を撮像して、撮像した画像を表す裏紙再利用情報検知信号を出力する。裏紙再利用情報検知センサ５１としては、例えば、ＣＣＤが用いられる。図５に示されるように、裏紙再利用情報検知センサ５１は、Ａ／Ｄコンバータ５２を介してシステム制御ユニット４１に接続されている。Ａ／Ｄコンバータ５２は、裏紙再利用情報検知センサ５１から出力された裏紙再利用情報検知信号をデジタルに変換して、システム制御ユニット４１に出力する。
【００２４】
図３〜４において、画像形成ユニット４には、中間転写部２４の中間転写ベルト２９と転写部２７とのニップ部の手前に、当該中間転写ベルト２９と転写部２７とのニップ部に搬送される転写紙を一時停止させてタイミング調整した後に搬送するレジストローラ対５３が設けられており、このレジストローラ対５３の転写紙の搬送方向手前には、搬送経路変更板５４、裏紙排紙ローラ５５及び使用不可裏紙用トレイ５６が設けられている。搬送経路変更板５４は、図３に示す通常位置と図４に実線で示す裏紙排紙位置とに回動して、通常位置のときには、給紙ユニット５から搬送路５０を搬送されてくる転写紙をレジストローラ対５３へ搬送させ、裏紙排紙位置のときには、給紙ユニット５から搬送路５０を搬送されてくる転写紙を使用不可裏紙用トレイ（非画像形成裏紙排出トレイ）５６方向に搬送経路を変更させる。裏紙排紙ローラ５５は、搬送経路変更板５４により使用不可裏紙用トレイ５６方向に搬送経路の変更された転写紙を使用不可裏紙用トレイ５６方向に搬送し、使用不可裏紙用トレイ５６は、通常の排紙トレイ以外の排出トレイとして形成されていて、裏紙排紙ローラ５５により搬送されてきた使用不可の裏紙をスタックする。搬送経路変更板５４は、図５に示す搬送経路移動モータ５７により回動駆動され、裏紙排紙ローラ５５は、図５に示す裏紙排紙モータ５８により回転駆動される。
【００２５】
ＣＰＵ４１ａは、Ａ／Ｄコンバータ５２を介して裏紙再利用情報検知センサ５１から出力された裏紙再利用情報検知信号を用いて、画像形成の対象となる転写紙が裏面にトナー像の転写による画像が既に形成された裏紙であるか否かを判断し、当該判断結果に応じて、当該転写紙に対する画像の形成を制御する。具体的には、ＣＰＵ４１ａは、転写紙が裏紙であると判断した場合、裏紙再利用情報検知信号によって表される画像に対して画像処理を行って裏紙再利用情報を抽出し、抽出した裏紙再利用情報が、当該複合装置１において許可されている裏紙再利用情報と一致するか否かに基づいて、当該転写紙の対象面に対する画像の形成を許可するか否かを判断する。尚、当該複合装置１において許可されている裏紙再利用情報とは、例えば、複合装置１で用いるトナー固有の識別子や、複合装置１固有の識別子である。具体的には、前者の識別子は、複合装置１で用いるトナーの種類を示すトナー識別子（例えば「R社  トナー種類  1231」）であり、後者の識別子は、複合装置１の機種を示す機種識別子（例えば「R社  コピー機  型番4566」）である。これらの識別子の値は、例えばシステム制御ユニット４１の主記憶部や補助記憶部に記憶されている。この判断の結果、ＣＰＵ４１ａは、当該転写紙の対象面に対する画像の形成を許可すると判断した場合、当該転写紙の対象面に対して画像を形成させる制御を行い、当該転写紙の対象面に対する画像の形成を許可しないと判断した場合、搬送経路移動モータ５７及び裏紙排紙モータ５８を駆動することにより、搬送経路変更板５４及び裏紙排紙ローラ５５を回転させ、当該転写紙の対象面に対して画像を形成させることなく、当該転写紙を使用不可裏紙用トレイ５６に排出させる。このように裏紙再利用情報は、裏面に画像が既に形成された転写紙の他方の面への画像の形成の諾否を判断するために用いられる。
【００２６】
また、ＣＰＵ４１ａは、画像形成の対象となる転写紙が裏紙でないと判断した場合、裏紙再利用情報を画像として当該転写紙に形成させるべく、ユーザからの操作入力に応じて、裏紙再利用情報を当該転写紙に印刷するための識別子として、トナー識別子を用いるか機種識別子を用いるかを判断すると共に、裏紙再利用情報を印刷する印刷方法として、地紋を用いるか、バーコードを用いるか又は文字を用いるかを判断して、各判断の結果に応じて、当該転写紙に対する画像の形成を制御する。
【００２７】
以上のような構成によって、複合装置１では、裏紙ではない転写紙、即ち、両面に画像が形成されていない転写紙に対して画像を形成する場合、当該転写紙に対して裏紙再利用情報としてトナー識別子又は機種識別子を表す画像を、文字、地紋又はバーコードを用いた印刷方法により更に形成する。その後、当該転写紙が裏紙として使用される場合には、複合装置１では、当該転写紙に画像として形成された裏紙再利用情報を抽出し、当該裏紙再利用情報が当該複合装置１において許可されているものか否かを判断して、当該判断結果が肯定的である場合に、当該転写紙の対象面に対して画像を形成し、当該判断結果が否定的である場合、当該転写紙の対象面に対して画像を形成せずに排出する。
【００２８】
次に、本実施の形態にかかる複合装置１の行う処理の手順について図６〜８を用いて説明する。まず、複合装置１が、両面に画像が形成されていない転写紙の一方の面に対して画像を形成する場合の処理の手順について説明する。まず、複合装置１は、画像の形成を行う前に、操作部ユニット４２におけるユーザの操作入力に基づいて、裏紙再利用情報として用いる識別子を設定する（ステップＳ１）。図７は、ステップＳ１の処理の手順を示すフローチャートである。ユーザは、識別子を選択するために、操作部ユニット４２の機種識別子印刷ボタン又はトナー識別子印刷ボタンのいずれかを押下する。ユーザが機種識別子印刷ボタンを押下した場合（ステップＳ２０：ＹＥＳ）、複合装置１は、裏紙再利用情報として機種識別子を選択し、自身の機種を表す機種識別子（例えば「R社  コピー機  型番4566」）を設定する（ステップＳ２１）。一方、ユーザがトナー識別子印刷ボタンを押下した場合（ステップＳ２０：ＮＯ，ステップＳ２２：ＹＥＳ）、複合装置１は、裏紙再利用情報としてトナー識別子を選択し、自身が用いるトナーの種類を示すトナー識別子（例えば「R社  トナー種類  1231」）を設定する（ステップＳ２３）。また、ユーザがトナー識別子印刷ボタン及び機種識別子印刷ボタンのいずれも押下しなかった場合（ステップＳ２０：ＮＯ，ステップＳ２２：ＮＯ）、複合装置１は、裏紙再利用情報を用いずに画像を形成する（通常の画像形成を行う）ことを決定する（ステップＳ２４）。
【００２９】
図６の説明に戻る。ステップＳ１で通常の画像形成を行うことを決定した場合（ステップＳ２：ＹＥＳ）、ステップＳ４に進み、ステップＳ１で通常の画像形成を行うことを決定していない場合（ステップＳ２：ＮＯ）、複合装置１は、ステップＳ１で設定した識別子（裏紙再利用情報）の印刷方法を設定する（ステップＳ３）。図８は、ステップＳ３の処理の手順を示すフローチャートである。ユーザは、識別子の印刷方法を選択するために、操作部ユニット４２の識別子地紋透かし印刷ボタン又は識別子バーコード印刷ボタンのいずれかを押下する。ユーザが識別子地紋透かし印刷ボタンを押下した場合（ステップＳ３０：ＹＥＳ）、複合装置１は、識別子を地紋透かしとして印刷する印刷方法を設定する（ステップＳ３１）。ユーザが識別子バーコード印刷ボタンを押下した場合（ステップＳ３０：ＮＯ、ステップＳ３２：ＹＥＳ）、複合装置１は、識別子をバーコードとして印刷する印刷方法に設定する（ステップＳ３３）。ユーザが識別子バーコード印刷ボタン及び識別子地紋透かし印刷ボタンのいずれも押下しなかった場合（ステップＳ３０：ＮＯ、ステップＳ３２：ＮＯ）、複合装置１は、識別子を文字として印刷する印刷方法を設定する（ステップＳ３４）。
【００３０】
図６の説明に戻る。次に、画像を形成する指示として、コピー開始を指示するスタートキーをユーザが押下すると、複合装置１のシステム制御ユニット４１は、コピー機能を実現させるための制御を開始し（ステップＳ４）、画像読取ユニット２で原稿の画像を読み取る。システム制御ユニット４１は、原稿の読み取りが完了すると、給紙ユニット５から転写紙の搬送を開始する。当該転写紙が給紙ユニット５から搬送路５０上を搬送されるとき、裏紙再利用情報検知センサ５１が当該転写紙の裏面を撮像して、撮像した画像を表す裏紙再利用情報検知信号を出力し、当該裏紙再利用情報検知信号をＡ／Ｄコンバータ５２がデジタルに変換してシステム制御ユニット４１に出力する。システム制御ユニット４１は、当該裏紙再利用情報検知信号を用いて、画像形成の対象となる転写紙が、裏面にトナー像の転写による画像が既に形成された裏紙であるか否かを判断する。例えば、システム制御ユニット４１は、当該画像に含まれる全ての画素に対して所定値以上の濃度を有する画素の割合が所定割合以上である場合、当該転写紙が裏紙であると判断し、当該画像に含まれる全ての画素に対して所定値以上の濃度を有する画素が所定割合より小さい場合、当該転写紙が裏紙でないと判断する。
【００３１】
ここでは、システム制御ユニット４１は、当該転写紙は裏紙ではないと判断することになる。この場合（ステップＳ５：ＮＯ）、システム制御ユニット４１は、画像書込ユニット３、画像形成ユニット４及び複写機機構部４４を制御して、当該転写紙に対して、ステップＳ１で裏紙再利用情報として設定された識別子及びステップＳ２で設定した、識別子の印刷方法に基づいた当該識別子に関する画像の形成及びステップＳ４で画像読取ユニット２で原稿から読み取った画像を表す画像データに基づいた画像を形成させる（ステップＳ８）。具体的には、まず、システム制御ユニット４１は、裏紙再利用情報として設定された識別子及び識別子の印刷方法に基づいた画像を表す画像データを生成する。図９は、識別子の種類及び識別子の印刷方法の組み合わせを例示する図である。例えば、識別子の印刷方法が「文字」である場合、システム制御ユニット４１は、裏紙再利用情報として設定された識別子（例えば「R社  トナー種類  1231」や「R社  コピー機  型番4566」）を文字として表す画像データを生成する。識別子の印刷方法が「バーコード」である場合、システム制御ユニット４１は、裏紙再利用情報として設定された識別子を１次元バーコードや２次元バーコードなどのバーコードに変換した画像データを生成する。識別子の印刷方法が「地紋」である場合、システム制御ユニット４１は、裏紙再利用情報として設定された識別子を地紋透かしに変換した画像データを生成する。そして、システム制御ユニット４１は、レジストローラ対５３のニップ部まで転写紙を搬送させ、中間転写ベルト２９からのトナー像でありステップＳ４で画像読取ユニット２で原稿から読み取った画像を表す画像データ及び識別子に関して生成した画像データに基づいて形成されたトナー像の転写部２７での転写タイミングに合わせて中間転写ベルト２９と転写部２７との間に当該転写紙を搬送させ、当該転写紙にトナー像を転写させ、転写の完了した転写紙を定着部２８で定着させた後、排紙トレイに排出させることで、画像を形成させる。図１０は、機種識別子が文字として画像が形成された画像を例示する図である。図１１は、トナー識別子がバーコードとして画像が形成された画像を例示する図である。図１２は、機種識別子が地紋透かしとして画像が形成された画像を例示する図である。
【００３２】
次に、複合装置１が、画像形成の対象となる転写紙として裏紙が使用され、当該裏紙の裏面に再利用情報（識別子）が画像として形成されている場合に当該転写紙の対象面に画像を形成する指示に応じて行う処理の手順について説明する。給紙ユニット５の３つの給紙トレイ３１〜３３のうち少なくとも今回のコピーに使用する給紙トレイ３１〜３３に裏紙がセットされ、操作部ユニット４２でコピーに関する各種操作入力が行われて、コピー開始を指示するスタートキーが押下されると、システム制御ユニット４１は、上述と同様にして、図６のステップＳ４〜Ｓ５の処理を行う。ここでは、ステップＳ５では、システム制御ユニット４１は、転写紙が裏紙であると判断することになる（ステップＳ５：ＹＥＳ）。この場合、システム制御ユニット４１は、裏紙再利用情報検知信号によって表される画像に対して画像処理を行って裏紙再利用情報を抽出し、抽出した裏紙再利用情報が、当該複合装置１の裏紙印刷において許可されている裏紙再利用情報と一致するか否かを判断する（ステップＳ６）。当該判断結果が肯定的である場合（ステップＳ６：ＹＥＳ）、システム制御ユニット４１は、当該転写紙の対象面に対する画像の形成を許可すると判断し、画像書込ユニット３、画像形成ユニット４及び複写機機構部４４を制御して、レジストローラ対５３のニップ部まで転写紙を搬送させ、中間転写ベルト２９からのトナー像でありステップＳ４で画像読取ユニット２で原稿から読み取った画像を表す画像データに基づいて形成されたトナー像の転写部２７での転写タイミングに合わせて中間転写ベルト２９と転写部２７との間に当該転写紙を搬送させ、当該転写紙にトナー像を転写させ、転写の完了した転写紙を定着部２８で定着させた後、排紙トレイに排出させることで、画像を形成させる（ステップＳ７）。
【００３３】
一方、抽出した裏紙再利用情報が、当該複合装置１の裏紙印刷において許可されている裏紙再利用情報と一致しない場合や、裏紙再利用情報を抽出できなかった場合、ステップＳ６の判断結果が否定的となる。この場合（ステップＳ６：ＮＯ）、システム制御ユニット４１は、当該転写紙の対象面に対する画像の形成を許可しないと判断し、搬送経路移動モータ５７を正転駆動（オン）させて、搬送経路変更板５４を図３に示す通常位置から図４に実線で示す裏紙排紙位置へと、図４に矢印で示すように、回動させて搬送経路を変更し（ステップＳ９）、搬送路５０を搬送されてきた転写紙を使用不可裏紙用トレイ５６方向に搬送させる。次に、システム制御ユニット４１は、裏紙排紙モータ５８を駆動（オン）させて、裏紙排紙ローラ５５を回転させ、搬送経路変更板５４で搬送経路が変更されて送り込まれてきた転写紙を使用不可裏紙用トレイ５６に排出させる（ステップＳ１０）。転写紙が使用不可裏紙用トレイ５６から排出されると、システム制御ユニット４１は、搬送経路移動モータ５７を逆転駆動させて、搬送経路変更板５４を図４に実線で示す裏紙排紙位置から図３に示す通常位置へと回動させて、搬送経路を通常の状態に戻し（ステップＳ１１）、その後、搬送経路移動モータ５７及び裏紙排紙モータ５８の駆動を停止（オフ）させて、トナー像による画像を形成しなかった当該転写紙の排紙を完了する（ステップＳ１２）。
【００３４】
以上のようにして、一方の面に対して画像が既に形成された転写紙（裏紙）の他方の面に対して画像を形成する指示に際して、裏紙への画像の形成の諾否を判断して、当該判断結果に応じて、当該転写紙の他方の面に対して画像を形成したり、当該他方の面に対して画像を形成することなく当該転写紙を排出したりする。この結果、両面に画像が形成されていない状態の転写紙に対してその一方の面に画像が形成された際に用いられたトナーと、一方の面に画像が形成された後の当該転写紙の他方の面に対して画像が形成される際に用いられるトナーとが異なることを防ぎ、定着時のトナーの再融解によって定着ローラの汚損や転写紙の汚れが発生する等の不都合を防止することが可能になる。即ち、紙資源を節約しつつ、定着ローラの汚損や転写紙の汚れを未然に防止し、利便性を向上させることができる。
【００３５】
（第２の実施の形態）
環境保護や経費削減の観点から、一度使用された記録紙の裏紙を用いて再度記録紙として用いることが増加している。また、記録面や裏紙をセンシングし、再利用可能な用紙とそうでない用紙を仕分けする用紙仕分け装置が知られている。従来の用紙仕分け装置では、用紙の白色度をセンシングし、この白色度を仕分けの判別情報として仕分けを行っている。記録紙としては、様々な種類や厚さの用紙が存在する。そして、実際の印刷時には、これらの用紙情報に合った設定をすることで最適な印刷動作が行われるのが通常である。従来の方法では、様々な種類や厚みの用紙が混ざり合って仕分けされる場合があるため、全て同じ用紙として仕分けされ同じ用紙情報で印刷すると、不具合を起こすおそれがあった。
【００３６】
第２の実施の形態では、用紙の種類及び用紙の厚さなどの用紙情報ごとに裏紙を仕分けることにより、用紙情報と不一致の設定で印刷することによる不具合を防止する。このようにして仕分けた裏紙を、例えば第１の実施の形態の複合装置１による印刷に使用できる。
【００３７】
図１３は、装填された原稿を画像読取ユニット２に搬送する自動原稿搬送装置（以下、ＡＤＦ２００という）の構成例を示す図である。このように、本実施の形態では、ＡＤＦ２００を備え、ＡＤＦ２００を用いて裏紙を仕分ける場合の例を説明する。
【００３８】
ユーザが用紙を原稿台２１１にセットし、例えば操作部ユニット４２に備えられる用紙仕分け実行ボタンの押下などにより、用紙仕分けを指示すると、ＡＤＦ２００は用紙の搬送を開始する。ＡＤＦ２００は、用紙定着情報検知センサ２０５（例えばＣＣＤ）を備えている。用紙が用紙定着情報検知センサ２０５の部分を通過すると、用紙定着情報検知センサ２０５は、用紙に印字された用紙情報及び原稿画像を取得する。用紙定着情報検知センサ２０５は、取得した用紙情報及び原稿画像をシステム制御ユニット２４１（図１４で詳述）に送る。システム制御ユニット２４１は、用紙情報等を用いて用紙を判別する。判別結果に応じて所望の排紙口に用紙を排出するように用紙搬送ローラ２０４が回転され、用紙が排紙口に排紙される。図１３では、排紙口２０１、２０２、２０３の３つの排紙口を用いる例が示されているが、排紙口の個数は３に限られるものではない。また、以下では、排紙口２０１、２０２、２０３をそれぞれ排紙口１、２、３という場合がある。
【００３９】
図１４は、用紙情報による仕分け処理を実行する機能構成例を示すブロック図である。本実施の形態の複合装置は、システム制御ユニット２４１、仕分け情報取得部２４１ａ、仕分け情報通知部２４２ｂ、仕分け情報設定部２４２ｃ、仕分け設定情報記憶部２４２ｄ、及び、仕分け結果記憶部２４２ｅを備えている。
【００４０】
仕分け情報取得部２４１ａは、仕分けの判断に用いる用紙情報を取得する。例えば、仕分け情報取得部２４１ａは、用紙定着情報検知センサ２０５が出力した用紙情報を取得する。システム制御ユニット２４１は、仕分け情報取得部２４１ａから用紙情報を取得する。システム制御ユニット２４１は、仕分け設定情報記憶部２４２ｄから仕分け判別の基準となる情報（仕分け設定情報）を読み出し、仕分け設定情報を用いて用紙情報の判別を実行する。
【００４１】
仕分け設定情報記憶部２４２ｄは、例えば、用紙の種類（普通紙、剥離紙、光沢紙、再生紙、色紙など）または用紙の厚さ（普通紙、厚紙、薄紙など）と、排紙する排紙口とを対応づけた情報を仕分け設定情報として記憶する。仕分け設定情報は、ユーザが例えば仕分け情報設定部２４２ｃを介して設定することができる。仕分け情報設定部２４２ｃは、ユーザの指示に応じて仕分け設定情報を設定するものである。仕分け情報設定部２４２ｃは、例えば操作部ユニット４２を用いたユーザの操作に応じて仕分け設定情報を設定するように構成できる。システム制御ユニット２４１は、用紙情報の判別結果を、仕分け結果記憶部２４２ｅに記憶し、仕分け情報通知部２４２ｂへ通知する。
【００４２】
図１５は、第２の実施の形態にかかる複合装置における用紙仕分け処理について説明するフローチャートである。図１５は、用紙種類を用紙情報として用いて用紙を仕分けする場合の用紙仕分け処理の一例を示している。用紙種類とは、普通紙、剥離紙、光沢紙、再生紙等の用紙厚さではない用紙特性とする。図１５では、用紙種類を２つに分類した場合を例に説明するが、分類数は２つに限るものではない。
【００４３】
ユーザが仕分けの基準とする用紙情報を入力すると（ステップＳ４１）、入力された用紙情報は、仕分け設定情報として仕分け設定情報記憶部２４２ｄに記憶される。ユーザが対象となる用紙を複合装置（ＡＤＦ２００の原稿台２１１）にセットし、仕分け実行ボタンを押下すると（ステップＳ４２）、用紙の読み取りが開始される。
【００４４】
用紙定着情報検知センサ２０５は、用紙に印字されている用紙情報を読み出す（ステップＳ４３）。システム制御ユニット２４１は、ユーザにより選択された用紙情報（用紙種類）を例えば仕分け設定情報記憶部２４２ｄから読み出す（ステップＳ４４）。
【００４５】
システム制御ユニット２４１は、用紙から読み出された用紙種類と、ユーザが設定した用紙種類とを比較し、いずれの排紙口に排出するかを判断する（ステップＳ４５）。例えば、読み出された用紙種類が、ユーザが設定した用紙種類のうち用紙種類１に含まれる場合（ステップＳ４５：用紙種類１）、システム制御ユニット２４１は、用紙種類１に対して定められた排出口１に用紙を排出する（ステップＳ４６）。同様に、読み出された用紙種類が、ユーザが設定した用紙種類のうち用紙種類２に含まれる場合（ステップＳ４５：用紙種類２）、システム制御ユニット２４１は、用紙種類２に対して定められた排出口２に用紙を排出する（ステップＳ４７）。読み出された用紙種類が、ユーザが設定した用紙種類と一致しない場合（ステップＳ４５：非該当用紙）、システム制御ユニット２４１は、一致しない用紙に対して定められた排出口３に用紙を排出する（ステップＳ４８）。
【００４６】
図１６は、第２の実施の形態にかかる複合装置における用紙仕分け処理について説明するフローチャートである。図１６は、用紙厚さを用紙情報として用いて用紙を仕分けする場合の用紙仕分け処理の一例を示している。図１６では、用紙厚さを３つに分類した場合を例に説明するが、分類数は３つに限るものではない。
【００４７】
ステップＳ５１からステップＳ５３は、図１５のステップＳ４１からステップＳ４３と同様であるため説明を省略する。
【００４８】
システム制御ユニット２４１は、ユーザにより選択された用紙情報（用紙厚さ）を例えば仕分け設定情報記憶部２４２ｄから読み出す（ステップＳ５４）。
【００４９】
システム制御ユニット２４１は、用紙から読み出された用紙厚さと、ユーザが設定した用紙厚さとを比較し、いずれの排紙口に排出するかを判断する（ステップＳ５５）。例えば、読み出された用紙厚さが普通紙の場合（ステップＳ５５：普通紙）、システム制御ユニット２４１は、普通紙に対してユーザが設定した排出口１に用紙を排出する（ステップＳ５６）。同様に、読み出された用紙厚さが厚紙の場合（ステップＳ５５：厚紙）、システム制御ユニット２４１は、厚紙に対してユーザが設定した排出口２に用紙を排出する（ステップＳ５７）。読み出された用紙厚さが薄紙の場合（ステップＳ５５：薄紙）、システム制御ユニット２４１は、薄紙に対してユーザが設定した排出口３に用紙を排出する（ステップＳ５８）。
【００５０】
図１７は、本実施の形態にかかる複合装置における用紙仕分け処理について説明するフローチャートである。図１７は、用紙厚さに加えて、両面に画像情報が存在するか否かを用紙情報として用いて用紙を仕分けする場合の用紙仕分け処理の一例を示している。図１７では、用紙厚さを３つに分類した場合を例に説明するが、分類数は３つに限るものではない。
【００５１】
ステップＳ６１からステップＳ６４は、図１６のステップＳ５１からステップＳ５４と同様であるため説明を省略する。
【００５２】
システム制御ユニット２４１は、ステップＳ６４で読み出した用紙情報が正常であるか否か、すなわち、用紙情報の取得エラーが存在するか否かを判定する（ステップＳ６５）。取得エラーが存在しない場合は（ステップＳ６５：Ｎｏ）、ステップＳ６６からステップＳ６９の処理を実行する。ステップＳ６６からステップＳ６９は、図１６のステップＳ５５からステップＳ５８と同様であるため説明を省略する。
【００５３】
ステップＳ６４で読み出した用紙情報が正常でない場合、すなわち取得エラーの場合（ステップＳ６５：Ｙｅｓ）、システム制御ユニット２４１は、エラー回数をカウントアップする（ステップＳ７０）。システム制御ユニット２４１は、エラー回数が規定値に達したか否かを判定する（ステップＳ７１）。エラー回数が規定値に達していない場合（ステップＳ７１：Ｎｏ）、システム制御ユニット２４１は、例えば、より高精細な読み取り設定（光量の変更、スキャンスピードの変更）となるように読み取り条件を変更し（ステップＳ７２）、ステップＳ６３に戻り処理を繰り返す。
【００５４】
エラー回数が規定値に達した場合（ステップＳ７１：Ｙｅｓ）、システム制御ユニット２４１は、読み取った原稿の両面に画像情報が存在するか否かを判定する（ステップＳ７３）。両面に画像情報が存在する場合（ステップＳ７３：Ｙｅｓ）、システム制御ユニット２４１は、排出口４（図示せず）に用紙を排出する（ステップＳ７４）。両面に画像情報が存在しない場合（ステップＳ７３：Ｎｏ）、システム制御ユニット２４１は、排出口１に用紙を排出する（ステップＳ７５）。排紙を行った後、システム制御ユニット２４１は、エラー回数をクリアする（ステップＳ７６）。
【００５５】
図１８は、第２の実施の形態にかかる用紙情報設定画面の一例を示す図である。ユーザは、用紙情報設定画面により、仕分けの判断に用いる用紙情報として、用紙種類及び用紙厚さのいずれを用いるかを設定する。なお、用紙種類及び用紙厚さ以外の情報を設定可能に構成してもよい。図１８では、用紙種類が用紙情報として選択されている状態が示されている。
【００５６】
図１９は、第２の実施の形態にかかる用紙種類設定画面の一例を示す図である。用紙種類設定画面は、排紙口ごとに排紙する用紙種類を選択するための画面である。用紙種類設定画面は、例えば図１８で「用紙種類」が選択された場合に表示される。図１９では、排紙口１に普通紙、排紙口２に剥離紙、排紙口３に色紙が選択されている状態が示されている。用紙種類としては、例えば、普通紙、剥離紙、光沢紙、再生紙、色紙、及び、指定なしなどを選択できる。
【００５７】
図２０は、第２の実施の形態にかかる用紙厚さ設定画面の一例を示す図である。用紙厚さ設定画面は、排紙口ごとに排紙する用紙の厚さを選択するための画面である。用紙厚さ設定画面は、例えば図１８で「用紙厚さ」が選択された場合に表示される。図２０では、排紙口１に普通紙、排紙口２に薄紙、排紙口３に指定無（排紙口１及び２に指定した用紙以外のための排紙口）が選択されている状態が示されている。
【００５８】
用紙に印字する用紙情報は、例えば図１１と同様にバーコードにより印字する。例えば、記録面に画像を記録する際に、用紙情報を記録紙に印字する。用紙情報の印字方式は、バーコードに限られるものではなく、文字及び地紋透かしなどにより印字してもよい。
【００５９】
（第３の実施の形態）
上述のように、従来の用紙仕分け装置では、センシングした用紙の白色度を判別情報として仕分けを行っている。しかし、仕分けした記録紙を給紙した際に、例えば、印字済みのトナーの融点温度が、定着部の温度よりも低ければ、記録紙に印字済みのトナーが溶け、画像がつぶれたり、定着部にトナーが付着して不具合を起こすおそれがあった。
【００６０】
第３の実施の形態では、定着情報により印刷可能な裏紙と印刷不可能な裏紙を仕分けることにより、記録紙に印字済みのトナーが溶け、画像がつぶれるなどの問題を防止できる。このようにして仕分けた裏紙を、例えば第１の実施の形態の複合装置１による印刷に使用できる。
【００６１】
本実施形態では、用紙定着情報検知センサ２０５は、用紙に印字された定着情報及び原稿画像を取得する。用紙定着情報検知センサ２０５は、取得した定着情報及び原稿画像をシステム制御ユニット３４１（図２１で詳述）に送る。システム制御ユニット３４１は、定着情報等を用いて用紙を判別する。判別結果に応じて所望の排紙口に用紙を排出するように用紙搬送ローラ２０４が回転され、用紙が排紙口に排紙される。
【００６２】
図２１は、定着情報による仕分け処理を実行する機能構成例を示すブロック図である。本実施の形態の複合装置は、システム制御ユニット３４１、仕分け情報取得部３４１ａ、仕分け情報通知部３４２ｂ、仕分け情報設定部３４２ｃ、仕分け設定情報記憶部３４２ｄ、及び、仕分け結果記憶部３４２ｅを備えている。
【００６３】
仕分け情報取得部３４１ａは、仕分けの判断に用いる定着情報を取得する。例えば、仕分け情報取得部３４１ａは、用紙定着情報検知センサ２０５が出力した定着情報を取得する。システム制御ユニット３４１は、仕分け情報取得部３４１ａから定着情報を取得する。システム制御ユニット３４１は、仕分け設定情報記憶部３４２ｄから仕分け判別の基準となる情報（仕分け設定情報）を読み出し、仕分け設定情報を用いて定着情報の判別を実行する。
【００６４】
仕分け設定情報記憶部３４２ｄは、例えばトナー融点および機種情報などの定着情報と、排紙する排紙口とを対応づけた情報を仕分け設定情報として記憶する。なお、定着情報はこれらに限られるものではなく、例えば定着処理の条件を区別できる他の情報を用いてもよい。仕分け設定情報は、ユーザが例えば仕分け情報設定部３４２ｃを介して設定することができる。仕分け情報設定部３４２ｃは、ユーザの指示に応じて仕分け設定情報を設定するものである。仕分け情報設定部３４２ｃは、例えば操作部ユニット４２を用いたユーザの操作に応じて仕分け設定情報を設定するように構成できる。システム制御ユニット３４１は、用紙情報の判別結果を、仕分け結果記憶部３４２ｅに記憶し、仕分け情報通知部３４２ｂへ通知する。
【００６５】
図２２は、第３の実施の形態にかかる複合装置における用紙仕分け処理について説明するフローチャートである。図２２は、トナー融点を定着情報として用いて用紙を仕分けする場合の用紙仕分け処理の一例を示している。図２２では、トナー融点を１つの基準値（１５０℃）との比較により２つに分類した場合を例に説明するが、分類数は２つに限るものではない。
【００６６】
ユーザが仕分けの基準とする定着情報を入力すると（ステップＳ８１）、入力された定着情報は、仕分け設定情報として仕分け設定情報記憶部３４２ｄに記憶される。ユーザが対象となる用紙を複合装置（ＡＤＦ２００の原稿台２１１）にセットし、仕分け実行ボタンを押下すると（ステップＳ８２）、用紙の読み取りが開始される。
【００６７】
用紙定着情報検知センサ２０５は、用紙に印字されている定着情報を読み出す（ステップＳ８３）。システム制御ユニット３４１は、ユーザにより選択された定着情報（トナー融点）を例えば仕分け設定情報記憶部３４２ｄから読み出す（ステップＳ８４）。
【００６８】
システム制御ユニット３４１は、用紙から読み出された定着情報と、ユーザが設定した定着情報の基準値（図の例では１５０℃）とを比較し、いずれの排紙口に排出するかを判断する（ステップＳ８５）。例えば、読み出された定着情報に「トナー融点  １５０℃」という情報が含まれる場合、基準値と一致するため（ステップＳ８５：１５０℃以上）、システム制御ユニット３４１は、１５０℃以上のトナー融点に対して定められた排出口１に用紙を排出する（ステップＳ８６）。同様に、例えば読み出された定着情報に「トナー融点  １４０℃」という情報が含まれる場合、基準値より小さいため（ステップＳ８５：１５０℃未満）、システム制御ユニット３４１は、１５０℃未満のトナー融点に対して定められた排出口２に用紙を排出する（ステップＳ８７）。なお、トナー融点が定着情報に含まれないなどにより判別できない用紙を使用不可用紙として他の排出口に排出するように構成してもよい。
【００６９】
図２３は、第３の実施の形態にかかる複合装置における用紙仕分け処理について説明するフローチャートである。図２３は、機種情報を定着情報として用いて用紙を仕分けする場合の用紙仕分け処理の一例を示している。図２３では、機種情報を１つの基準値（機種Ａ）との比較により３つに分類した場合を例に説明するが、分類数は３つに限るものではない。
【００７０】
ステップＳ９１からステップＳ９２は、図２２のステップＳ８１からステップＳ８２と同様であるため説明を省略する。
【００７１】
用紙定着情報検知センサ２０５は、用紙に印字されている定着情報を読み出す（ステップＳ９３）。システム制御ユニット３４１は、ユーザにより選択された定着情報（機種情報）を例えば仕分け設定情報記憶部３４２ｄから読み出す（ステップＳ９４）。
【００７２】
システム制御ユニット３４１は、用紙から読み出された定着情報と、ユーザが設定した定着情報の基準値（図の例では機種Ａ）とを比較し、いずれの排紙口に排出するかを判断する（ステップＳ９５）。例えば、読み出された定着情報に「機種Ａ」という情報が含まれる場合、基準値と一致するため（ステップＳ９５：機種Ａ）、システム制御ユニット３４１は、機種Ａに対して定められた排出口１に用紙を排出する（ステップＳ９７）。同様に、例えば読み出された定着情報に「機種Ａ」以外の機種情報が含まれる場合、基準値と一致しないため（ステップＳ９５：機種Ａ以外）、システム制御ユニット３４１は、機種Ａ以外の機種に対して定められた排出口２に用紙を排出する（ステップＳ９６）。読み出された定着情報に機種情報が含まれない場合は（ステップＳ９５：機種情報なし）、システム制御ユニット３４１は、機種情報なしの場合に対して定められた排出口３に用紙を排出する（ステップＳ９８）。
【００７３】
図２４は、第３の実施の形態にかかる記録紙仕分け結果画面の一例を示す図である。記録紙仕分け結果画面は、判別条件および仕分けした枚数とを対応づけた画面であり、ＬＣＤタッチパネルなどに表示される。図２４では、トナー融点１５０℃以上の用紙、トナー融点１５０℃未満の用紙、および、使用不可の用紙が、それぞれ５０枚、２０枚および５枚仕分けされた結果の例が示されている。
【００７４】
図２５は、第３の実施の形態にかかる記録紙仕分け設定画面の一例を示す図である。ユーザは、記録紙仕分け設定画面により、仕分けの判断に用いる定着情報（判別情報）として、トナー融点及び機種情報のいずれを用いるかを設定する。なお、トナー融点及び機種情報以外の情報を設定可能に構成してもよい。図２５では、トナー融点が定着情報として選択されている状態が示されている。また、ユーザは、記録紙仕分け設定画面により、仕分けに用いる閾値（基準値）を指定する。なお、図２５では省略しているが、ユーザは、基準値との比較結果に応じた仕分け先（排出口）を指定する。図２５の記録紙仕分け設定画面内で仕分け先を指定できるように構成してもよいし、記録紙仕分け設定画面とは異なる画面で指定するように構成してもよい。
【００７５】
図２６は、第３の実施の形態にかかる記録紙仕分け設定画面の他の例を示す図である。図２６の記録紙仕分け設定画面は、定着情報が印字されていない用紙が搬送された場合に、使用不可用紙として仕分けるか、未使用の用紙として仕分けるかを設定するための画面の例を表している。ユーザは、この画面を用いて、定着情報が印字されていない用紙を使用不可用紙として仕分けるか、未使用の用紙として仕分けるかを指定する。
【００７６】
用紙に印字する定着情報は、例えば図１１と同様にバーコードにより印字する。例えば、記録面に画像を記録する際に、定着情報を記録紙に印字する。定着情報の印字方式は、バーコードに限られるものではなく、文字及び地紋透かしなどにより印字してもよい。
【００７７】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００７８】
上述した実施の形態において、複合装置１で実行される各種プログラムを、インターネット等のネットワークに接続されたコンピュータ上に格納し、ネットワーク経由でダウンロードさせることにより提供するように構成しても良い。また当該各種プログラムを、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録してコンピュータプログラムプロダクトとして提供するように構成しても良い。
【００７９】
上述した実施の形態において、画像形成装置を、コピー機能、スキャナ機能及びファクシミリ機能等の各種機能を有する複合装置１に適用した例を挙げて説明したが、これに限らず、コピー機能、プリンタ機能、スキャナ機能及びファクシミリ機能のうち少なくとも２つの機能を有する複合装置や、複写機、プリンタ、スキャナ装置、ファクシミリ装置等の画像形成装置であればいずれにも適用することができる。
【００８０】
上述した実施の形態において、裏紙再利用情報として、トナー識別子又は機種識別子を用いたが、これに限らない。
【００８１】
また、裏紙再利用情報として、トナー識別子又は機種識別子のうち一方を用いたが、これに限らず、トナー識別子及び機種識別子の両方を用いるようにしても良い。
【００８２】
また、複合装置１で許可されている裏紙再利用情報は、複合装置１の機種を示す機種識別子や複合装置１で用いられるトナーの種類を示すトナー識別子であるとしたが、これに限らず、複合装置１の機種と同等の機種を示す機種識別子や、複合装置１で用いられるトナーと同質のトナーの種類を示すトナー識別子であっても良い。
【符号の説明】
【００８３】
１  複合装置
２  画像読取ユニット
３  画像書込ユニット
４  画像形成ユニット
５  給紙ユニット
６  手差しユニット
１１  コンタクトガラス
１２  圧板
１３  第１走行体
１４  第２走行体
１５  レンズ
１６  ３ラインＣＣＤセンサ
２１  感光体
２２  帯電器
２３  現像部
２４  中間転写部
２５  クリーニング部
２６  除電部
２７  転写部
２８  定着部
２９  中間転写ベルト
３１〜３３  給紙トレイ
３４  搬送機構部
４１  システム制御ユニット
４２  操作部ユニット
４３  画像表示ユニット
４４  複写機機構部
４５  画像処理ユニット
５１  裏紙再利用情報検知センサ
５２  Ａ／Ｄコンバータ
５３  レジストローラ対
５４  搬送経路変更板
５５  裏紙排紙ローラ
５６  使用不可裏紙用トレイ
５７  搬送経路移動モータ
５８  裏紙排紙モータ
【先行技術文献】
【特許文献】
【００８４】
【特許文献１】特開２００４−３１７８２９号公報
【図１】
2012053457.tif 000003
【図２】
2012053457.tif 000004
【図３】
2012053457.tif 000005
【図４】
2012053457.tif 000006
【図５】
2012053457.tif 000007
【図６】
2012053457.tif 000008
【図７】
2012053457.tif 000009
【図８】
2012053457.tif 000010
【図９】
2012053457.tif 000011
【図１０】
2012053457.tif 000012
【図１１】
2012053457.tif 000013
【図１２】
2012053457.tif 000014
【図１３】
2012053457.tif 000015
【図１４】
2012053457.tif 000016
【図１５】
2012053457.tif 000017
【図１６】
2012053457.tif 000018
【図１７】
2012053457.tif 000019
【図１８】
2012053457.tif 000020
【図１９】
2012053457.tif 000021
【図２０】
2012053457.tif 000022
【図２１】
2012053457.tif 000023
【図２２】
2012053457.tif 000024
【図２３】
2012053457.tif 000025
【図２４】
2012053457.tif 000026
【図２５】
2012053457.tif 000027
【図２６】
2012053457.tif 000028